(57)【要約】【課題】固定用異物による操作レバーの回動位置の固定を不能とし、以て操作レバーを固定する不正行為を防止し得るパチンコ遊技機を提供する。【解決手段】固定用異物３８の嵌入を可能とする間隙を介して隣接する前部固定ハンドル１５又は後部固定ハンドル１４と、操作レバー１３のうち、一方の隣接面に、前後方向へ移動不能で、かつ周方向に沿って回動可能な遊転リング３２を配設した。これにより、一方の隣接面に配設した遊転リング３２と、該遊転リング３２が配設されていない他方の隣接面との間隙に固定用異物３８を嵌入しても、遊転リング３２の回動若しくは相対的な回動によって、操作レバー１３の回動位置の固定が不能となる。【選択図】図５
2011030808.tif 000002
【特許請求の範囲】
【請求項１】
遊技機本体の前面に突設された略円筒状のベース部となる後部固定ハンドルと、該後部固定ハンドルの前部に回動不能に装着されたカバー部となる前部固定ハンドルと、該前部固定ハンドルと前記後部固定ハンドルとの間に回動操作可能に介装されて、その回動量に応じて遊技球の打圧力を調整する操作レバーとを具備する発射ハンドルを備えたパチンコ遊技機において、
固定用異物の嵌入を可能とする間隙を介して隣接する前部固定ハンドル又は後部固定ハンドルと、操作レバーのうち、一方の隣接面に、前後方向へ移動不能で、かつ周方向に沿って回動可能な遊転リングが配設されていることを特徴とするパチンコ遊技機。
【請求項２】
固定用異物の嵌入を可能とする間隙を介して隣接する前部固定ハンドルと、操作レバーのうち、前部固定ハンドルの後端部の隣接面となる外周面又は操作レバーの前端部の隣接面となる外周面に、前後方向へ移動不能で、かつ周方向に沿って回動可能な遊転リングが配設されていることを特徴とする請求項１記載のパチンコ遊技機。
【請求項３】
固定用異物の嵌入を可能とする間隙を介して隣接する後部固定ハンドルと、操作レバーのうち、後部固定ハンドルの前端部の隣接面となる外周面又は操作レバーの後端部の隣接面となる外周面に、前後方向へ移動不能で、かつ周方向に沿って回動可能な遊転リングが配設されていることを特徴とする請求項１記載のパチンコ遊技機。
【請求項４】
固定用異物の嵌入を可能とする間隙を介して隣接する後部固定ハンドルと、操作レバーのうち、操作レバーの後端部の隣接面となる内周面に、前後方向へ移動不能で、かつ周方向に沿って回動可能な遊転リングが配設されていることを特徴とする請求項１記載のパチンコ遊技機。
【請求項５】
遊転リングが、外輪と複数の針状転動体を備えてなるニードルベアリングの、その外輪であることを特徴とする請求項２又は請求項３に記載のパチンコ遊技機。
【請求項６】
遊転リングが、外輪と内輪間に複数の針状転動体を備えてなるニードルベアリングの、その内輪であることを特徴とする請求項４記載のパチンコ遊技機。
【発明の詳細な説明】
【技術分野】
【０００１】
本発明は、遊技球を発射するために遊技者により回動操作される発射ハンドルを備えたパチンコ遊技機に関する。
【背景技術】
【０００２】
一般にパチンコ遊技機には、その遊技機本体の前面下部に発射ハンドルが配設されている（例えば、特許文献１参照）。この発射ハンドルは、遊技機本体から突設された略円筒状のベース部となる後部固定ハンドルと、該後部固定ハンドルの前部に回動不能に装着されたカバー部となる前部固定ハンドルと、該前部固定ハンドルと前記後部固定ハンドルとの間に回動操作可能に介装されて、その回動量に応じて遊技球の打圧力を調整する操作レバーとを備えている。ここで、操作レバーは、バネによって回動起点（非回動位置）に戻るように付勢されており、遊技に際しては、遊技者が操作レバーをバネの付勢力に抗して回動させることにより、その回動量に応じた遊技球の打圧力が得られるようになっている。
【先行技術文献】
【特許文献】
【０００３】
【特許文献１】特開平１０−２５８１５４
【発明の概要】
【発明が解決しようとする課題】
【０００４】
ところで、上述したように、発射ハンドルの操作レバーは、バネによって回動起点に戻るように付勢されているため、遊技球を所望の発射強度で連続的に発射させるためには、遊技者はバネの付勢力に抗して回動させた操作レバーの回動位置を保持しなければならない。この操作レバーの位置保持は、遊技者自身が手によって行うことが国家公安委員会規則第六条第一号に掲げる別表で定められており、操作レバーの回動位置を固定することは許されないのであるが、操作レバーの回動位置を手で保持した状態での遊技が長時間に及ぶと手が疲れてしまうため、前部固定ハンドルまたは後部固定ハンドルと操作レバーとの間隙に、手近にあるコイン，マッチ軸，爪楊枝，厚紙やプルトップ缶のタブ等の異物（以下、これらを「固定用異物」という）を強引に嵌め込んで、操作レバーの回動位置を固定する不正行為が遊技者によって頻繁に行われているのが実状である。
【０００５】
本発明は、かかる実状を解消するためになされたものであり、固定用異物による操作レバーの回動位置の固定を不能とし、以て操作レバーを固定する不正行為を防止し得るパチンコ遊技機を提供することを目的とするものである。
【課題を解決するための手段】
【０００６】
本発明は、遊技機本体の前面に突設された略円筒状のベース部となる後部固定ハンドルと、該後部固定ハンドルの前部に回動不能に装着されたカバー部となる前部固定ハンドルと、該前部固定ハンドルと前記後部固定ハンドルとの間に回動操作可能に介装されて、その回動量に応じて遊技球の打圧力を調整する操作レバーとを具備する発射ハンドルを備えたパチンコ遊技機において、固定用異物の嵌入を可能とする間隙を介して隣接する前部固定ハンドル又は後部固定ハンドルと、操作レバーのうち、一方の隣接面に、前後方向へ移動不能で、かつ周方向に沿って回動可能な遊転リングが配設されていることを特徴とするパチンコ遊技機である。
【０００７】
前記パチンコ遊技機にあって、固定用異物の嵌入を可能とする間隙を介して隣接する前部固定ハンドルと、操作レバーのうち、前部固定ハンドルの後端部の隣接面となる外周面又は操作レバーの前端部の隣接面となる外周面に、前後方向へ移動不能で、かつ周方向に沿って回動可能な遊転リングが配設されている構成が提案される。
【０００８】
また、固定用異物の嵌入を可能とする間隙を介して隣接する後部固定ハンドルと、操作レバーのうち、後部固定ハンドルの前端部の隣接面となる外周面又は操作レバーの後端部の隣接面となる外周面に、前後方向へ移動不能で、かつ周方向に沿って回動可能な遊転リングが配設されている構成が提案される。
【０００９】
上記二構成にあって、遊転リングを、外輪と複数の針状転動体を備えてなるニードルベアリングの、その外輪とする構成が提案される。
【００１０】
さらに、固定用異物の嵌入を可能とする間隙を介して隣接する後部固定ハンドルと、操作レバーのうち、操作レバーの後端部の隣接面となる内周面に、前後方向へ移動不能で、かつ周方向に沿って回動可能な遊転リングが配設されている構成が提案される。
【００１１】
また、この構成にあって、遊転リングを、外輪と内輪間に複数の針状転動体を備えてなるニードルベアリングの、その内輪とする構成が提案される。
【発明の効果】
【００１２】
本発明は、上述したように、固定用異物の嵌入を可能とする間隙を介して隣接する前部固定ハンドル又は後部固定ハンドルと、操作レバーのうち、一方の隣接面に、前後方向へ移動不能で、かつ周方向に沿って回動可能な遊転リングが配設されているパチンコ遊技機であるから、前部固定ハンドル又は後部固定ハンドルと、操作レバーのうち、一方の隣接面に配設した遊転リングと、該遊転リングが配設されていない他方の隣接面との間隙に固定用異物を嵌入しても、遊転リングの回動若しくは相対的な回動によって、操作レバーの回動位置の固定を行うことができず、これによって操作レバーを固定する不正行為を防止することができる。
【００１３】
また、固定用異物の嵌入を可能とする間隙を介して隣接する前部固定ハンドルと、操作レバーのうち、前部固定ハンドルの後端部の隣接面となる外周面又は操作レバーの前端部の隣接面となる外周面に、前後方向へ移動不能で、かつ周方向に沿って回動可能な遊転リングが配設されている構成にあっては、前部固定ハンドルと、操作レバーのうち、一方の隣接面に配設した遊転リングと、該遊転リングが配設されていない他方の隣接面との間隙に固定用異物を嵌入しても、遊転リングが回動若しくは相対的に回動するため、操作レバーの回動位置の固定を行うことができない。これにより、前部固定ハンドルと操作レバーとの間隙に固定用異物を嵌入して操作レバーを固定する不正行為を防止することができる。
【００１４】
また、固定用異物の嵌入を可能とする間隙を介して隣接する後部固定ハンドルと、操作レバーのうち、後部固定ハンドルの前端部の隣接面となる外周面又は操作レバーの後端部の隣接面となる外周面に、前後方向へ移動不能で、かつ周方向に沿って回動可能な遊転リングが配設されている構成にあっては、後部固定ハンドルと、操作レバーのうち、一方の隣接面に配設した遊転リングと、該遊転リングが配設されていない他方の隣接面との間隙に固定用異物を嵌入しても、遊転リングが回動若しくは相対的に回動するため、操作レバーの回動位置の固定を行うことができない。これにより、後部固定ハンドルと操作レバーとの間隙に固定用異物を嵌入して操作レバーを固定する不正行為を防止することができる。
【００１５】
また、上記二構成にあって、遊転リングを、外輪と複数の針状転動体を備えてなるニードルベアリングの、その外輪とすることにより、該ニードルベアリングの外輪を、前後方向へ移動不能で、かつ周方向に沿って回動可能とすることができるため、前部固定ハンドルまたは後部固定ハンドルと、操作レバーのうち、一方の隣接面となる外周面に配設される遊転リングとして好適なものとなる。
【００１６】
さらに、固定用異物の嵌入を可能とする間隙を介して隣接する後部固定ハンドルと、操作レバーのうち、操作レバーの後端部の隣接面となる内周面に、前後方向へ移動不能で、かつ周方向に沿って回動可能な遊転リングが配設されている構成にあっては、操作レバーの後端部の隣接面となる内周面に配設した遊転リングと、後部固定ハンドルの隣接面との間隙に固定用異物を嵌入しても、遊転リングが相対的に回動するため、操作レバーの回動位置の固定を行うことができない。これにより、後部固定ハンドルと操作レバーの内周面との間隙に固定用異物を嵌入して操作レバーを固定する不正行為を防止することができる。
【００１７】
また、この構成にあって、遊転リングを、外輪と内輪間に複数の針状転動体を備えてなるニードルベアリングの、その内輪とすることにより、該ニードルベアリングの内輪が、前後方向へ移動不能で、かつ周方向に沿って回動可能であるため、後部固定ハンドルと、操作レバーのうち、操作レバーの後端部の隣接面となる内周面に配設される遊転リングとして好適なものとなる。
【図面の簡単な説明】
【００１８】
【図１】パチンコ遊技機１の斜視図である。
【図２】第一実施例にかかる発射ハンドル１２の縦断側面図である。
【図３】同上の発射ハンドル１２の分解縦断側面図である。
【図４】（Ａ）は図２におけるＡ部の拡大図、（Ｂ）は変形実施例にかかる同部の拡大図である。
【図５】ニードルベアリング３３Ａの作用説明図である。
【図６】（Ａ）はニードルベアリング３３Ｂの作用説明図、（Ｂ）は背面側から見た状態を示す作用説明図である。
【図７】（Ａ）はニードルベアリング３３Ｃの作用説明図、（Ｂ）は背面側から見た状態を示す作用説明図である。
【図８】第二実施例にかかる発射ハンドル１２の要部の拡大縦断側面図である。
【図９】（Ａ）はニードルベアリング３３Ｄの作用説明図、（Ｂ）はニードルベアリング３３Ｅの作用説明図である。
【発明を実施するための形態】
【００１９】
以下に、本発明の第一実施例を、図１〜図７に基づいて説明する。
パチンコ遊技機１は、図１に示すように、遊技島（図示省略）に固定される長方形状の外枠２と、該外枠２の前面開口部分を覆うように取付けられた遊技機本体３とからなる。
【００２０】
遊技機本体３は、本体枠（図示省略）の前面側に配設された前面扉４を備えており、本体枠と前面扉４の一側縁が上下位置で外枠２にヒンジ部材５を介して夫々片開き可能に枢結されている。前面扉４には、その中央上部寄り位置に形成された略円形の開口部を遮蔽する透明板６が配設されており、該透明板６から内部の本体枠に取付けられた遊技盤（図示省略）が透視可能となっている。
【００２１】
前面扉４の前面下部には、図示しない発射装置に供給される遊技球を貯留する上受皿７が設けられている。該上受皿７内の左端奥部には、賞球や貸球が払い出される球払出口８が開口されている。また、上受皿７の右側内部には、遊技球を整列する整列部（図示省略）が形成され、該整列部の奥端に遊技球を発射装置へ供給するための球供給口（図示省略）が開口されている。
【００２２】
遊技機本体３の前面下部には、下部パネル９が配設されており、この下部パネル９の前面下部中央に下受皿１０が設けられている。該下受皿１０の内部には球放出口１１が開口されており、上受皿７が満杯の場合にオーバーフローした遊技球が遊技機本体３内の球流路（図示省略）を流下して球放出口１１から下受皿１０内に放出される。そして、この下受皿１０の右側に発射ハンドル１２が配設されている。
【００２３】
尚、発射ハンドル１２の後方で、遊技機本体３の内部には、上受皿７から供給された遊技球を打圧する発射槌と該発射鎚を駆動するロータリーソレノイドとを備えた発射装置（何れも図示省略）が配設されており、発射ハンドル１２が具備する操作レバー１３の回動量に応じてロータリーソレノイドの駆動量が制御され、発射鎚による遊技球の打圧力が調整されるようになっている。
【００２４】
発射ハンドル１２は、図２，図３に示すように、遊技機本体３に取付けられるベース部となる略円筒状の後部固定ハンドル１４と、略円環状の操作レバー１３と、該操作レバー１３の前部を覆うカバー部となる略半球状の前部固定ハンドル１５とを主体として構成されている。
【００２５】
後部固定ハンドル１４からは、複数の組付用筒軸１６が前方に向けて突設されており、各組付用筒軸１６の先端が、前部固定ハンドル１５から後方に向けて突設された複数の嵌合突起１７に夫々外嵌された状態で螺子１８により各嵌合突起１７に固定されている。これにより、後部固定ハンドル１４の前部に前部固定ハンドル１５が回動不能に装着されている。ここで、後部固定ハンドル１４と前部固定ハンドル１５は、両者間に所定幅の介装間隙が生じるようにして連結されており、該介装間隙内に操作レバー１３が回動操作可能に介装されている。
【００２６】
操作レバー１３は、内部に略円板状の回動基板部１９と、その外周に該回動基板部１９と一体形成された環状周壁部２０とを備えており、該環状周壁部２０には複数の指掛け突部３９（図１参照）が一体に設けられている。回動基板部１９の中央には、後述する電子ボリューム２９の回転軸３０が嵌合される径大軸部２１が設けられており、該径大軸部２１の後端から径小な回動支軸２２が後方に突成されている。該回動支軸２２は、後部固定ハンドル１４内の支持壁２３から前方に突成された軸受筒部２４に回転可能に嵌入されており、該軸受筒部２４による回動支軸２２の支持によって操作レバー１３が周方向に回動可能となっている。ここで、回動支軸２２及び軸受筒部２４の中心軸線と、後述する電子ボリューム２９の回転軸３０の中心軸線は、環状周壁部２０の中心軸線に一致しており、これによって環状周壁部２０の回動時にぶれが生じることなく、円滑な回動が可能となるようにしている。また、回動基板部１９の周縁部には、周方向に沿う円弧状の挿通口２５，２５が開口されており、該挿通口２５，２５に前記複数の組付用筒軸１６を挿通させて回動基板部１９との衝当を回避させることによって、操作レバー１３の回動が可能となるようにしている。
【００２７】
前記複数の組付用筒軸１６によって後部固定ハンドル１４の前部に回動不能に装着された略半球状の前部固定ハンドル１５は、略半球形状の後部を構成する環状カバー部２６と、略半球形状の前部を構成する曲面カバー部２７とを備えている。該曲面カバー部２７は透光性材質からなり、環状カバー部２６に後方から内嵌されて脱出不能に保持されている。環状カバー部２６には、図示しない螺子によって固定基板２８が取付けられており、該固定基板２８から前記各嵌合突起１７が後方に向けて突設されている。また、該固定基板２８の中央部には電子ボリューム２９が前後方向に沿って固定されており、該電子ボリューム２９の回転軸３０が後方に向けて突出されている。この回転軸３０は、前記操作レバー１３の回動基板部１９の径大軸部２１にスプライン嵌合を介して連結されており、操作レバー１３が回動操作されると、該回転軸３０が一体的に回動するようになっている。ここで、電子ボリューム２９は、回転軸３０の回動によって、その回動量に応じて増減する制御電圧を出力するものであり、この制御電圧が図示しない発射制御基板に入力されると、この制御電圧に比例する駆動電圧によって発射装置のロータリーソレノイドが駆動されて、発射鎚による遊技球の打圧力が調整されるようになっている。また、前部固定ハンドル１５内にはタッチセンサ４４が配設されている。タッチセンサ４４は、環状カバー部２６の外表面に設けられた電導膜（図示省略）と電気的に導通されており、該電導膜に人体が接触していると、これを検知してその接触検知信号を発射制御基板に出力する。発射制御基板は、タッチセンサ４４から接触検知信号を受信している間だけ上述したロータリーソレノイドを駆動させる。
【００２８】
前部固定ハンドル１５の固定基板２８と操作レバー１３の回動基板部１９間には、電子ボリューム２９の回転軸３０を囲繞するようにしてねじりコイルバネ３１が配設されている。該ねじりコイルバネ３１の一端は固定基板２８に係合されており、他端はねじりコイルバネ３１に適宜の弾発力が生じるようにねじられた状態で回動基板部１９に係合されている。これにより、操作レバー１３は、ねじりコイルバネ３１の弾発力によって回動起点（非回動位置）に戻るように付勢されており、回動起点では図示しないストッパーとの当接によって回動起点に保持されるようになっている。
【００２９】
次に本発明の要部について説明する。
前部固定ハンドル１５と操作レバー１３及び該操作レバー１３と後部固定ハンドル１４は、操作レバー１３の回動が可能となるように適宜の間隙を介して隣接しており、この間隙に固定用異物が嵌入可能となっている。そこで、本発明にあっては、隣接する前部固定ハンドル１５または後部固定ハンドル１４と、操作レバー１３のうち、一方の隣接面に、前後方向へ移動不能で、かつ周方向に沿って回動可能な遊転リング３２を配設するようにしている。
【００３０】
この第一実施例では、操作レバー１３と隣接する前部固定ハンドル１５の後端部の隣接面となる環状カバー部２６の外周面にニードルベアリング３３Ａが配設されている。該ニードルベアリング３３Ａは、図４（Ａ）に示すように、外輪３４ａと内輪３５ａ間に複数の針状転動体３６ａを備えてなるものであり、内輪３５ａが環状カバー部２６の後端部の外周面に形成された環状凹部３７内に固着されている。これによって、外輪３４ａが複数の針状転動体３６ａの転動作用を介して回動可能となっており、この外輪３４ａによって前後方向へ移動不能で、かつ周方向に沿って回動可能な遊転リング３２が構成されている。ここで、ニードルベアリング３３Ａは、外輪３４ａの後端が、内輪３５ａの後端よりも若干後方に突出するように形成されており、これによって外輪３４ａの後端面と操作レバー１３の環状周壁部２０の前端面との間に、固定用異物３８（図５（Ｂ）参照）が嵌入されても該固定用異物３８が内輪３５ａの後端に当接しないようになっており、内輪３５ａの後端面と操作レバー１３の環状周壁部２０の前端面との間に固定用異物３８が嵌合されることによる操作レバー１３の固定を防止し得るようにしている。
【００３１】
また、後部固定ハンドル１４と隣接する操作レバー１３の後端部の隣接面となる環状周壁部２０の内周面にもニードルベアリング３３Ｂが配設されている。ここで、環状周壁部２０は、図４（Ａ）に示すように、後部固定ハンドル１４の外径よりも径大に形成されており、該環状周壁部２０の後端部の内周面が後部固定ハンドル１４との隣接面となっている。ニードルベアリング３３Ｂの外輪３４ｂは、環状周壁部２０の後端部の内周面に形成された環状凹部４０に固着されており、これによって、内輪３５ｂが複数の針状転動体３６ｂの転動作用を介して回動可能となっている。そして、この内輪３５ｂによって前後方向へ移動不能で、かつ周方向に沿って回動可能な遊転リング３２が構成されている。
【００３２】
かかる構成にあって、図５（Ａ）に示すように、遊技者が、操作レバー１３の環状周壁部２０から前方に突出した指掛け突部３９の下面と、遊転リング３２としてのニードルベアリング３３Ａの外輪３４ａとの間に固定用異物３８を嵌入して、操作レバー１３の回動位置の固定を図っても、遊転リング３２としてのニードルベアリング３３Ａの外輪３４ａと操作レバー１３とが一体となって回動するため、操作レバー１３の回動位置の固定を行うことができず、これによって操作レバー１３を固定する不正行為を防止することができる。
【００３３】
また、図５（Ｂ）に示すように、指掛け突部３９がない部分において、操作レバー１３の環状周壁部２０の前端面と、ニードルベアリング３３Ａの外輪３４ａの後端面との間に固定用異物３８を嵌入しても、上記と同様に遊転リング３２としてのニードルベアリング３３Ａの外輪３４ａとともに操作レバー１３が回動するため、操作レバー１３の回動位置の固定を行うことができず、これによって操作レバー１３を固定する不正行為を防止することができる。
【００３４】
一方、上記のように、前部固定ハンドル１５と操作レバー１３との間隙に固定用異物３８を嵌入しても操作レバー１３の固定ができない場合、遊技者は後部固定ハンドル１４と操作レバー１３との間に生じている間隙に固定用異物３８を嵌入して操作レバー１３の固定を図ろうとする。この場合、図６（Ａ），（Ｂ）に示すように、後部固定ハンドル１４の前端部の外周面と、操作レバー１３の環状周壁部２０の後端部の内周面に配設された遊転リング３２としてのニードルベアリング３３Ｂの内輪３５ｂとの間に固定用異物３８を嵌入しても、ニードルベアリング３３Ｂの内輪３５ｂに対して外輪３４ｂが操作レバー１３と一体となって回動し、遊転リング３２としての内輪３５ｂが相対的に回動することとなるため、操作レバー１３の回動位置の固定を行うことができず、これによって操作レバー１３を固定する不正行為を防止することができる。
【００３５】
図４（Ｂ）は、第一実施例の変形実施例を示し、この変形実施例は、操作レバー１３の環状周壁部２０の内周面に隣接する後部固定ハンドル１４の前端部の外周面にニードルベアリング３３Ｃを配設したものである。ここで、ニードルベアリング３３Ｃの内輪３５ｃは、後部固定ハンドル１４の前端部の外周面に形成された環状凹部４１に固着されており、これによって、外輪３４ｃが複数の針状転動体３６ｃの転動作用を介して回動可能となっている。そして、この外輪３４ｃによって前後方向へ移動不能で、かつ周方向に沿って回動可能な遊転リング３２が構成されている。
【００３６】
かかる構成にあっては、図７（Ａ），（Ｂ）に示すように、操作レバー１３の環状周壁部２０の後端部の内周面と、後部固定ハンドル１４の前端部の外周面に配設された遊転リング３２としてのニードルベアリング３３Ｃの外輪３４ｃとの間に固定用異物３８を嵌入しても、ニードルベアリング３３Ｃの外輪３４ｃが操作レバー１３と一体となって回動するため、操作レバー１３の回動位置の固定を行うことができず、これによって操作レバー１３を固定する不正行為を防止することができる。
【００３７】
図８は第二実施例を示し、この第二実施例は、前部固定ハンドル１５の環状カバー部２６と、操作レバー１３の環状周壁部２０と、後部固定ハンドル１４とが略同一外径で形成されており、前部固定ハンドル１５に隣接する操作レバー１３の前端部の隣接面となる環状周壁部２０の外周面にニードルベアリング３３Ｄが配設されている。該ニードルベアリング３３Ｄの内輪３５ｄは、環状周壁部２０の前端部の内周面に形成された環状凹部４２に固着されており、これによって、外輪３４ｄが複数の針状転動体３６ｄの転動作用を介して回動可能となっている。そして、この外輪３４ｄによって前後方向へ移動不能で、かつ周方向に沿って回動可能な遊転リング３２が構成されている。ここで、ニードルベアリング３３Ｄは、外輪３４ｄの前端が、内輪３５ｄの前端よりも若干前方に突出するように形成されており、これによって外輪３４ｄの前端面と前部固定ハンドル１５の環状カバー部２６の後端面との間に固定用異物３８（図９（Ａ）参照）が嵌入されても、該固定用異物３８が内輪３５ｄの前端に当接しないようになっており、内輪３５ｄの前端面と前部固定ハンドル１５の環状カバー部２６の後端面との間に固定用異物３８が嵌合されることによる操作レバー１３の固定を防止し得るようにしている。
【００３８】
また、後部固定ハンドル１４に隣接する操作レバー１３の後端部の隣接面となる環状周壁部２０の外周面にニードルベアリング３３Ｅが配設されている。該ニードルベアリング３３Ｅの内輪３５ｅは、環状周壁部２０の後端部の内周面に形成された環状凹部４３に固着されており、これによって、外輪３４ｅが複数の針状転動体３６ｅの転動作用を介して回動可能となっている。そして、この外輪３４ｅによって前後方向へ移動不能で、かつ周方向に沿って回動可能な遊転リング３２が構成されている。ここで、ニードルベアリング３３Ｅは、外輪３４ｅの後端が、内輪３５ｅの後端よりも若干後方に突出するように形成されており、これによって外輪３４ｅの後端面と後部固定ハンドル１４の前端面との間に固定用異物３８（図９（Ｂ）参照）が嵌入されても、該固定用異物３８が内輪３５ｅの後端に当接しないようになっており、内輪３５ｅの後端面と後部固定ハンドル１４の前端面との間に固定用異物３８が嵌合されることによる操作レバー１３の固定を防止し得るようにしている。
【００３９】
かかる構成にあって、図９（Ａ）に示すように、遊技者が前部固定ハンドル１５の環状カバー部２６の後端面と、操作レバー１３の環状周壁部２０の前端部の外周面に配設された遊転リング３２としてのニードルベアリング３３Ｄの外輪３４ｄとの間に固定用異物３８を嵌入しても、ニードルベアリング３３Ｄの外輪３４ｄに対して内輪３５ｄが操作レバー１３と一体となって回動し、遊転リング３２としての外輪３４ｄが相対的に回動することとなるため、操作レバー１３の回動位置の固定を行うことができず、これによって操作レバー１３を固定する不正行為を防止することができる。
【００４０】
また、図９（Ｂ）に示すように、後部固定ハンドル１４の前端面と、操作レバー１３の環状周壁部２０の後端部の外周面に配設された遊転リング３２としてのニードルベアリング３３Ｅの外輪３４ｅとの間に固定用異物３８を嵌入しても、ニードルベアリング３３Ｅの外輪３４ｅに対して内輪３５ｅが操作レバー１３と一体となって回動し、遊転リング３２としての外輪３４ｅが相対的に回動することとなるため、操作レバー１３の回動位置の固定を行うことができず、これによって操作レバー１３を固定する不正行為を防止することができる。
【００４１】
このように、本発明によれば、固定用異物３８の嵌入を可能とする間隙を介して隣接する前部固定ハンドル１５又は後部固定ハンドル１４と、操作レバー１３のうち、一方の隣接面に配設した遊転リング３２と、該遊転リング３２が配設されていない他方の隣接面との間隙に固定用異物３８を嵌入しても、遊転リング３２の回動若しくは相対的な回動によって、操作レバー１３の回動位置の固定を行うことができず、これによって操作レバー１３を固定する不正行為を防止することができる。
【００４２】
尚、上記各実施例では、外輪と内輪間に複数の針状転動体を備えてなるニードルベアリングの外輪または内輪によって遊転リング３２を構成するようにしているが、遊転リング３２をニードルベアリングの外輪で構成する場合には、内輪を具備しないニードルベアリングを用いることも可能である。
【符号の説明】
【００４３】
１  パチンコ遊技機
３  遊技機本体
１２  発射ハンドル
１３  操作レバー
１４  後部固定ハンドル
１５  前部固定ハンドル
３２  遊転リング
３３Ａ，３３Ｂ，３３Ｃ，３３Ｄ，３３Ｅ  ニードルベアリング
３４ａ，３４ｂ，３４ｃ，３４ｄ，３４ｅ  外輪
３５ａ，３５ｂ，３５ｃ，３５ｄ，３５ｅ  内輪
３６ａ，３６ｂ，３６ｃ，３６ｄ，３６ｅ  針状転動体
３８  固定用異物
【図１】
2011030808.tif 000003
【図２】
2011030808.tif 000004
【図３】
2011030808.tif 000005
【図４】
2011030808.tif 000006
【図５】
2011030808.tif 000007
【図６】
2011030808.tif 000008
【図７】
2011030808.tif 000009
【図８】
2011030808.tif 000010
【図９】
2011030808.tif 000011